【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
ロケットエンジンと、その燃焼時の噴流で作動するタービンとを結合し組み合わせた動力源装置。
【請求項２】
水素燃料のロケットエンジン（1）での水素の燃焼による噴流で、タービン（2）を作動させ発電機（3）で発電した電気で水の電気分解装置（4）内の電気伝導性を有する水を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置。
【請求項３】
水素燃料のロケットエンジン（1）での水素の燃焼による噴流で、タービン（2）を作動させ発電機（3）で発電した電気で水の電気分解装置（4）内の電気伝導性を有する水を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置の運転方法。
【請求項４】
水素燃料のロケットエンジン（8）での水素の燃焼による噴流で、タービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水を電気分解し、そこで得られた水素と酸素を水素燃料のロケットエンジン（8）の燃料及び水素の酸化剤として利用する動力源装置。
【請求項５】
水素燃料のロケットエンジン（8）での水素の燃焼による噴流で、タービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水を電気分解し、そこで得られた水素と酸素を水素燃料のロケットエンジン（8）の燃料及び水素の酸化剤として利用する動力源装置の運転方法。
【請求項６】
燃焼室（345）で水素を燃焼させて水素燃料のガスタービン（15）を作動させ、発電機（16）で発電した電気で水の電気分解装置（17）内の電気伝導性を有する水を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させて動力源とする動力源装置。
【請求項７】
燃焼室（345）で水素を燃焼させて水素燃料のガスタービン（15）を作動させ、発電機（16）で発電した電気で水の電気分解装置（17）内の電気伝導性を有する水を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させて動力源とする動力源装置の運転方法。
【請求項８】
燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水を電気分解し、そこで得られた水素と酸素を燃焼室（346）に導き水素燃料のガスタービン（21）の燃料及び水素の酸化剤として利用する動力源装置。
【請求項９】
燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水を電気分解し、そこで得られた水素と酸素を燃焼室（346）に導き水素燃料のガスタービン（21）の燃料及び水素の酸化剤として利用する動力源装置の運転方法。
【請求項１０】
水素燃料のロケットエンジン（27）での水素の燃焼による噴流でタービン（28）を作動させ発電機（29）で発電した電気で水の電気分解装置（30）内の電気伝導性を有する水を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させて動力源とすると同時に、さらに蒸気タービン（32）の排熱を蒸気発生装置（34）に通し、水よりも低い沸点の液体であるアンモニアの蒸気で蒸気タービン（35）を作動させて動力源とすると同時に、アンモニア蒸気を凝縮装置（239）に通し液化する動力源装置。
【請求項１１】
水素燃料のロケットエンジン（27）での水素の燃焼による噴流でタービン（28）を作動させ発電機（29）で発電した電気で水の電気分解装置（30）内の電気伝導性を有する水を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させて動力源とすると同時に、さらに蒸気タービン（32）の排熱を蒸気発生装置（34）に通し、水よりも低い沸点の液体であるアンモニアの蒸気で蒸気タービン（35）を作動させて動力源とすると同時に、アンモニア蒸気を凝縮装置（239）に通し液化する動力源装置の運転方法。
【請求項１２】
水素燃料のロケットエンジン（37）での水素の燃焼による噴流でタービン（38）を作動させて動力源とすると同時に、燃焼時の排熱を蒸気発生装置（40）に通した蒸気で蒸気タービン（41）を作動させ発電機（42）で発電した電気で水の電気分解装置（43）内の電気伝導性を有する水を電気分解し、そこで得られた水素と酸素を水素燃料のロケットエンジン（37）の燃料及び水素の酸化剤として利用すると同時に、さらに蒸気タービン（41）の排熱を蒸気発生装置（44）に通し、水よりも低い沸点の液体であるアンモニアの蒸気で蒸気タービン（45）を作動させて動力源とすると同時に、アンモニア蒸気を凝縮装置（240）に通し液化する動力源装置。
【請求項１３】
水素燃料のロケットエンジン（37）での水素の燃焼による噴流でタービン（38）を作動させて動力源とすると同時に、燃焼時の排熱を蒸気発生装置（40）に通した蒸気で蒸気タービン（41）を作動させ発電機（42）で発電した電気で水の電気分解装置（43）内の電気伝導性を有する水を電気分解し、そこで得られた水素と酸素を水素燃料のロケットエンジン（37）の燃料及び水素の酸化剤として利用すると同時に、さらに蒸気タービン（41）の排熱を蒸気発生装置（44）に通し、水よりも低い沸点の液体であるアンモニアの蒸気で蒸気タービン（45）を作動させて動力源とすると同時に、アンモニア蒸気を凝縮装置（240）に通し液化する動力源装置の運転方法。
【請求項１４】
燃焼室（347）で水素を燃焼させて水素燃料のガスタービン（47）を作動させ発電機（48）で発電した電気で水の電気分解装置（49）内の電気伝導性を有する水を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させて動力源とすると同時に、さらに蒸気タービン（51）の排熱を蒸気発生装置（53）に通し、水よりも低い沸点の液体であるアンモニアの蒸気で蒸気タービン（54）を作動させて動力源とすると同時に、アンモニア蒸気を凝縮装置（241）に通し液化する動力源装置。
【請求項１５】
燃焼室（347）で水素を燃焼させて水素燃料のガスタービン（47）を作動させ発電機（48）で発電した電気で水の電気分解装置（49）内の電気伝導性を有する水を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させて動力源とすると同時に、さらに蒸気タービン（51）の排熱を蒸気発生装置（53）に通し、水よりも低い沸点の液体であるアンモニアの蒸気で蒸気タービン（54）を作動させて動力源とすると同時に、アンモニア蒸気を凝縮装置（241）に通し液化する動力源装置の運転方法。
【請求項１６】
燃焼室（348）で水素を燃焼させて水素燃料のガスタービン（56）を作動させて動力源とすると同時に、燃焼時の排熱を蒸気発生装置（58）に通した蒸気で蒸気タービン（59）を作動させ発電機（60）で発電した電気で水の電気分解装置（61）内の電気伝導性を有する水を電気分解し、そこで得られた水素と酸素を燃焼室（348）に導き水素燃料のガスタービン（56）の燃料及び水素の酸化剤として利用すると同時に、さらに蒸気タービン（59）の排熱を蒸気発生装置（62）に通し、水よりも低い沸点の液体であるアンモニアの蒸気で蒸気タービン（63）を作動させて動力源とすると同時に、アンモニア蒸気を凝縮装置（242）に通し液化する動力源装置。
【請求項１７】
燃焼室（348）で水素を燃焼させて水素燃料のガスタービン（56）を作動させて動力源とすると同時に、燃焼時の排熱を蒸気発生装置（58）に通した蒸気で蒸気タービン（59）を作動させ発電機（60）で発電した電気で水の電気分解装置（61）内の電気伝導性を有する水を電気分解し、そこで得られた水素と酸素を燃焼室（348）に導き水素燃料のガスタービン（56）の燃料及び水素の酸化剤として利用すると同時に、さらに蒸気タービン（59）の排熱を蒸気発生装置（62）に通し、水よりも低い沸点の液体であるアンモニアの蒸気で蒸気タービン（63）を作動させて動力源とすると同時に、アンモニア蒸気を凝縮装置（242）に通し液化する動力源装置の運転方法。
【請求項１８】
水素燃料のロケットエンジン（101）での水素の燃焼による噴流でタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水を電気分解し、そこで得られた水素と酸素を水素燃料のロケットエンジン（101）の燃料及び水素の酸化剤として利用すると同時に、アンモニア蒸気を凝縮装置（244）に通し液化する動力源装置。
【請求項１９】
水素燃料のロケットエンジン（101）での水素の燃焼による噴流でタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水を電気分解し、そこで得られた水素と酸素を水素燃料のロケットエンジン（101）の燃料及び水素の酸化剤として利用すると同時に、アンモニア蒸気を凝縮装置（244）に通し液化する動力源装置の運転方法。
【請求項２０】
燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化する動力源装置。
【請求項２１】
燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化する動力源装置の運転方法。
【請求項２２】
水素燃料のロケットエンジン（120）での水素の燃焼による噴流で、タービン（121）を作動させ発電機（122）で発電した電気で水の電気分解装置（123）内の電気伝導性を有する水を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置。
【請求項２３】
水素燃料のロケットエンジン（120）での水素の燃焼による噴流で、タービン（121）を作動させ発電機（122）で発電した電気で水の電気分解装置（123）内の電気伝導性を有する水を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置の運転方法。
【請求項２４】
水素燃料のロケットエンジン（127）での水素の燃焼による噴流で、タービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水を電気分解し、そこで得られた水素を水素燃料のロケットエンジン（127）の燃料として利用する動力源装置。
【請求項２５】
水素燃料のロケットエンジン（127）での水素の燃焼による噴流で、タービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水を電気分解し、そこで得られた水素を水素燃料のロケットエンジン（127）の燃料として利用する動力源装置の運転方法。
【請求項２６】
燃焼室（352）で水素を燃焼させて水素燃料のガスタービン（134）を作動させ、発電機（135）で発電した電気で水の電気分解装置（136）内の電気伝導性を有する水を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させて動力源とする動力源装置。
【請求項２７】
燃焼室（352）で水素を燃焼させて水素燃料のガスタービン（134）を作動させ、発電機（135）で発電した電気で水の電気分解装置（136）内の電気伝導性を有する水を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させて動力源とする動力源装置の運転方法。
【請求項２８】
燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水を電気分解し、そこで得られた水素を燃焼室（353）に導き水素燃料のガスタービン（140）の燃料として利用する動力源装置。
【請求項２９】
燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水を電気分解し、そこで得られた水素を燃焼室（353）に導き水素燃料のガスタービン（140）の燃料として利用する動力源装置の運転方法。
【請求項３０】
水素燃料のロケットエンジン（146）での水素の燃焼による噴流でタービン（147）を作動させ発電機（148）で発電した電気で水の電気分解装置（149）内の電気伝導性を有する水を電気分解し、そこで得られた水素を水素燃料のロケットエンジン（146）の燃料として利用すると同時に、燃焼時の排熱を蒸気発生装置（150）に通した蒸気で蒸気タービン（151）を作動させて動力源とすると同時に、さらに蒸気タービン（151）の排熱を蒸気発生装置（153）に通し、水よりも低い沸点の液体であるアンモニアの蒸気で蒸気タービン（154）を作動させて動力源とすると同時に、アンモニア蒸気を凝縮装置（246）に通し液化する動力源装置。
【請求項３１】
水素燃料のロケットエンジン（146）での水素の燃焼による噴流でタービン（147）を作動させ発電機（148）で発電した電気で水の電気分解装置（149）内の電気伝導性を有する水を電気分解し、そこで得られた水素を水素燃料のロケットエンジン（146）の燃料として利用すると同時に、燃焼時の排熱を蒸気発生装置（150）に通した蒸気で蒸気タービン（151）を作動させて動力源とすると同時に、さらに蒸気タービン（151）の排熱を蒸気発生装置（153）に通し、水よりも低い沸点の液体であるアンモニアの蒸気で蒸気タービン（154）を作動させて動力源とすると同時に、アンモニア蒸気を凝縮装置（246）に通し液化する動力源装置の運転方法。
【請求項３２】
水素燃料のロケットエンジン（156）での水素の燃焼による噴流でタービン（157）を作動させて動力源とすると同時に、燃焼時の排熱を蒸気発生装置（159）に通した蒸気で蒸気タービン（160）を作動させ発電機（161）で発電した電気で水の電気分解装置（162）内の電気伝導性を有する水を電気分解し、そこで得られた水素を水素燃料のロケットエンジン（156）の燃料として利用すると同時に、さらに蒸気タービン（160）の排熱を蒸気発生装置（163）に通し水よりも低い沸点の液体であるアンモニアの蒸気で蒸気タービン（164）を作動させて動力源とすると同時に、アンモニア蒸気を凝縮装置（247）に通し液化する動力源装置。
【請求項３３】
水素燃料のロケットエンジン（156）での水素の燃焼による噴流でタービン（157）を作動させて動力源とすると同時に、燃焼時の排熱を蒸気発生装置（159）に通した蒸気で蒸気タービン（160）を作動させ発電機（161）で発電した電気で水の電気分解装置（162）内の電気伝導性を有する水を電気分解し、そこで得られた水素を水素燃料のロケットエンジン（156）の燃料として利用すると同時に、さらに蒸気タービン（160）の排熱を蒸気発生装置（163）に通し、水よりも低い沸点の液体であるアンモニアの蒸気で蒸気タービン（164）を作動させて動力源とすると同時に、アンモニア蒸気を凝縮装置（247）に通し液化する動力源装置の運転方法。
【請求項３４】
燃焼室（354）で水素を燃焼させて水素燃料のガスタービン（166）を作動させ発電機（167）で発電した電気で水の電気分解装置（168）内の電気伝導性を有する水を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させて動力源とすると同時に、さらに蒸気タービン（170）の排熱を蒸気発生装置（172）に通し、水よりも低い沸点の液体であるアンモニアの蒸気で蒸気タービン（173）を作動させて動力源とすると同時に、アンモニア蒸気を凝縮装置（248）に通し液化する動力源装置。
【請求項３５】
燃焼室（354）で水素を燃焼させて水素燃料のガスタービン（166）を作動させ発電機（167）で発電した電気で水の電気分解装置（168）内の電気伝導性を有する水を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させて動力源とすると同時に、さらに蒸気タービン（170）の排熱を蒸気発生装置（172）に通し、水よりも低い沸点の液体であるアンモニアの蒸気で蒸気タービン（173）を作動させて動力源とすると同時に、アンモニア蒸気を凝縮装置（248）に通し液化する動力源装置の運転方法。
【請求項３６】
燃焼室（355）で水素を燃焼させて水素燃料のガスタービン（175）を作動させて動力源とすると同時に、燃焼時の排熱を蒸気発生装置（177）に通した蒸気で蒸気タービン（178）を作動させ発電機（179）で発電した電気で水の電気分解装置（180）内の電気伝導性を有する水を電気分解し、そこで得られた水素を燃焼室（355）に導き水素燃料のガスタービン（175）の燃料として利用すると同時に、さらに蒸気タービン（178）の排熱を蒸気発生装置（181）に通し、水よりも低い沸点の液体であるアンモニアの蒸気で蒸気タービン（182）を作動させて動力源とすると同時に、アンモニア蒸気を凝縮装置（249）に通し液化する動力源装置。
【請求項３７】
燃焼室（355）で水素を燃焼させて水素燃料のガスタービン（175）を作動させて動力源とすると同時に、燃焼時の排熱を蒸気発生装置（177）に通した蒸気で蒸気タービン（178）を作動させ発電機（179）で発電した電気で水の電気分解装置（180）内の電気伝導性を有する水を電気分解し、そこで得られた水素を燃焼室（355）に導き水素燃料のガスタービン（175）の燃料として利用すると同時に、さらに蒸気タービン（178）の排熱を蒸気発生装置（181）に通し、水よりも低い沸点の液体であるアンモニアの蒸気で蒸気タービン（182）を作動させて動力源とすると同時に、アンモニア蒸気を凝縮装置（249）に通し液化する動力源装置の運転方法。
【請求項３８】
水素燃料のロケットエンジン（220）での水素の燃焼による噴流でタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水を電気分解し、そこで得られた水素を水素燃料のロケットエンジン（220）の燃料として利用すると同時に、アンモニア蒸気を凝縮装置（251）に通し液化する動力源装置。
【請求項３９】
水素燃料のロケットエンジン（220）での水素の燃焼による噴流でタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水を電気分解し、そこで得られた水素を水素燃料のロケットエンジン（220）の燃料として利用すると同時に、アンモニア蒸気を凝縮装置（251）に通し液化する動力源装置の運転方法。
【請求項４０】
燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水を電気分解し、そこで得られた水素を燃焼室（358）に導き水素燃料のガスタービン（230）の燃料として利用すると同時に、アンモニア蒸気を凝縮装置（252）に通し液化する動力源装置。
【請求項４１】
燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水を電気分解し、そこで得られた水素を燃焼室（358）に導き水素燃料のガスタービン（230）の燃料として利用すると同時に、アンモニア蒸気を凝縮装置（252）に通し液化する動力源装置の運転方法。
【請求項４２】
液体水素燃料のロケットエンジン（253）での液体水素の燃焼による噴流で、タービン（254）を作動させ発電機（255）で発電した電気で水の電気分解装置（256）内の電気伝導性を有する水を電気分解し、そこで得られた水素と酸素を液化装置及び貯蔵タンク（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置。
【請求項４３】
液体水素燃料のロケットエンジン（253）での液体水素の燃焼による噴流で、タービン（254）を作動させ発電機（255）で発電した電気で水の電気分解装置（256）内の電気伝導性を有する水を電気分解し、そこで得られた水素と酸素を液化装置及び貯蔵タンク（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置の運転方法。
【請求項４４】
液体水素燃料のロケットエンジン（262）での液体水素の燃焼による噴流で、タービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水を電気分解し、そこで得られた水素と酸素を液化装置及び貯蔵タンク（269）及び（270）に通して液体水素燃料のロケットエンジン（262）の燃料及び液体水素の酸化剤として利用する動力源装置。
【請求項４５】
液体水素燃料のロケットエンジン（262）での液体水素の燃焼による噴流で、タービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水を電気分解し、そこで得られた水素と酸素を液化装置及び貯蔵タンク（269）及び（270）に通して液体水素燃料のロケットエンジン（262）の燃料及び液体水素の酸化剤として利用する動力源装置の運転方法。
【請求項４６】
燃焼室（359）で液体水素を燃焼させて液体水素燃料のガスタービン（271）を作動させ、発電機（272）で発電した電気で水の電気分解装置（273）内の電気伝導性を有する水を電気分解し、そこで得られた水素と酸素を液化装置及び貯蔵タンク（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させて動力源とする動力源装置。
【請求項４７】
燃焼室（359）で液体水素を燃焼させて液体水素燃料のガスタービン（271）を作動させ、発電機（272）で発電した電気で水の電気分解装置（273）内の電気伝導性を有する水を電気分解し、そこで得られた水素と酸素を液化装置及び貯蔵タンク（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させて動力源とする動力源装置の運転方法。
【請求項４８】
燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水を電気分解し、そこで得られた水素と酸素を液化装置及び貯蔵タンク（285）及び（286）に通して燃焼室（360）に導き液体水素燃料のガスタービン（279）の燃料及び液体水素の酸化剤として利用する動力源装置。
【請求項４９】
燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水を電気分解し、そこで得られた水素と酸素を液化装置及び貯蔵タンク（285）及び（286）に通して燃焼室（360）に導き液体水素燃料のガスタービン（279）の燃料及び液体水素の酸化剤として利用する動力源装置の運転方法。
【請求項５０】
液体水素燃料のロケットエンジン（294）での液体水素の燃焼による噴流で、タービン（295）を作動させ発電機（296）で発電した電気で水の電気分解装置（297）内の電気伝導性を有する水を電気分解し、そこで得られた水素を液化装置及び貯蔵タンク（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置。
【請求項５１】
液体水素燃料のロケットエンジン（294）での液体水素の燃焼による噴流で、タービン（295）を作動させ発電機（296）で発電した電気で水の電気分解装置（297）内の電気伝導性を有する水を電気分解し、そこで得られた水素を液化装置及び貯蔵タンク（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置の運転方法。
【請求項５２】
液体水素燃料のロケットエンジン（302）での液体水素の燃焼による噴流で、タービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水を電気分解し、そこで得られた水素を液化装置及び貯蔵タンク（309）に通して液体水素燃料のロケットエンジン（302）の燃料として利用する動力源装置。
【請求項５３】
液体水素燃料のロケットエンジン（302）での液体水素の燃焼による噴流で、タービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水を電気分解し、そこで得られた水素を液化装置及び貯蔵タンク（309）に通して液体水素燃料のロケットエンジン（302）の燃料として利用する動力源装置の運転方法。
【請求項５４】
燃焼室（361）で液体水素を燃焼させて液体水素燃料のガスタービン（310）を作動させ、発電機（311）で発電した電気で水の電気分解装置（312）内の電気伝導性を有する水を電気分解し、そこで得られた水素を液化装置及び貯蔵タンク（313）に通して燃焼室（361）に導き液体水素燃料のガスタービン（310）の燃料として利用すると同時に、燃焼時の排熱を蒸気発生装置（314）に通した蒸気で蒸気タービン（315）を作動させ動力源とする動力源装置。
【請求項５５】
燃焼室（361）で液体水素を燃焼させて液体水素燃料のガスタービン（310）を作動させ、発電機（311）で発電した電気で水の電気分解装置（312）内の電気伝導性を有する水を電気分解し、そこで得られた水素を液化装置及び貯蔵タンク（313）に通して燃焼室（361）に導き液体水素燃料のガスタービン（310）の燃料として利用すると同時に、燃焼時の排熱を蒸気発生装置（314）に通した蒸気で蒸気タービン（315）を作動させて動力源とする動力源装置の運転方法。
【請求項５６】
燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水を電気分解し、そこで得られた水素を液化装置及び貯蔵タンク（323）に通して燃焼室（362）に導き液体水素燃料のガスタービン（317）の燃料として利用する動力源装置。
【請求項５７】
燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水を電気分解し、そこで得られた水素を液化装置及び貯蔵タンク（323）に通して燃焼室（362）に導き液体水素燃料のガスタービン（317）の燃料として利用する動力源装置の運転方法。
【請求項５８】
液体水素燃料のロケットエンジン（363）での液体水素の燃焼による噴流で、タービン（364）を作動させ発電機（365）で発電した電気で水の電気分解装置（366）内の電気伝導性を有する水を電気分解し、そこで得られた水素と酸素を液化装置（367）及び（368）に通して液体水素燃料のロケットエンジン（363）の燃料及び液体水素の酸化剤として利用すると同時に、燃焼時の排熱を蒸気発生装置（371）に通した蒸気で蒸気タービン（372）を作動させ動力源とする動力源装置。
【請求項５９】
液体水素燃料のロケットエンジン（363）での液体水素の燃焼による噴流で、タービン（364）を作動させ発電機（365）で発電した電気で水の電気分解装置（366）内の電気伝導性を有する水を電気分解し、そこで得られた水素と酸素を液化装置（367）及び（368）に通して液体水素燃料のロケットエンジン（363）の燃料及び液体水素の酸化剤として利用すると同時に、燃焼時の排熱を蒸気発生装置（371）に通した蒸気で蒸気タービン（372）を作動させ動力源とする動力源装置の運転方法。
【請求項６０】
液体水素燃料のロケットエンジン（374）での液体水素の燃焼による噴流で、タービン（375）を作動させ動力源とすると同時に、燃焼時の排熱を蒸気発生装置（377）に通した蒸気で蒸気タービン（378）を作動させ、発電機（379）で発電した電気で水の電気分解装置（380）内の電気伝導性を有する水を電気分解し、そこで得られた水素と酸素を液化装置（381）及び（382）に通して液体水素燃料のロケットエンジン（374）の燃料及び液体水素の酸化剤として利用する動力源装置。
【請求項６１】
液体水素燃料のロケットエンジン（374）での液体水素の燃焼による噴流で、タービン（375）を作動させ動力源とすると同時に、燃焼時の排熱を蒸気発生装置（377）に通した蒸気で蒸気タービン（378）を作動させ、発電機（379）で発電した電気で水の電気分解装置（380）内の電気伝導性を有する水を電気分解し、そこで得られた水素と酸素を液化装置（381）及び（382）に通して液体水素燃料のロケットエンジン（374）の燃料及び液体水素の酸化剤として利用する動力源装置の運転方法。
【請求項６２】
燃焼室（385）で液体水素を燃焼させて液体水素燃料のガスタービン（386）を作動させ、発電機（387）で発電した電気で水の電気分解装置（388）内の電気伝導性を有する水を電気分解し、そこで得られた水素と酸素を液化装置（389）及び（390）に通して燃焼室（385）に導き液体水素燃料のガスタービン（386）の燃料及び液体水素の酸化剤として利用すると同時に、燃焼時の排熱を蒸気発生装置（393）に通した蒸気で蒸気タービン（394）を作動させて動力源とする動力源装置。
【請求項６３】
燃焼室（385）で液体水素を燃焼させて液体水素燃料のガスタービン（386）を作動させ、発電機（387）で発電した電気で水の電気分解装置（388）内の電気伝導性を有する水を電気分解し、そこで得られた水素と酸素を液化装置（389）及び（390）に通して燃焼室（385）に導き液体水素燃料のガスタービン（386）の燃料及び液体水素の酸化剤として利用すると同時に、燃焼時の排熱を蒸気発生装置（393）に通した蒸気で蒸気タービン（394）を作動させて動力源とする動力源装置の運転方法。
【請求項６４】
燃焼室（396）で液体水素を燃焼させて液体水素燃料のガスタービン（397）を作動させ動力源とすると同時に、燃焼時の排熱を蒸気発生装置（399）に通した蒸気で蒸気タービン（400）を作動させ、発電機（401）で発電した電気で水の電気分解装置（402）内の電気伝導性を有する水を電気分解し、そこで得られた水素と酸素を液化装置（403）及び（404）に通して燃焼室（396）に導き液体水素燃料のガスタービン（397）の燃料及び液体水素の酸化剤として利用する動力源装置。
【請求項６５】
燃焼室（396）で液体水素を燃焼させて液体水素燃料のガスタービン（397）を作動させ動力源とすると同時に、燃焼時の排熱を蒸気発生装置（399）に通した蒸気で蒸気タービン（400）を作動させ、発電機（401）で発電した電気で水の電気分解装置（402）内の電気伝導性を有する水を電気分解し、そこで得られた水素と酸素を液化装置（403）及び（404）に通して燃焼室（396）に導き液体水素燃料のガスタービン（397）の燃料及び液体水素の酸化剤として利用する動力源装置の運転方法。
【請求項６６】
液体水素燃料のロケットエンジン（407）での液体水素の燃焼による噴流で、タービン（408）を作動させ発電機（409）で発電した電気で水の電気分解装置（410）内の電気伝導性を有する水を電気分解し、そこで得られた水素を液化装置（411）に通して液体水素燃料のロケットエンジン（407）の燃料として利用すると同時に、燃焼時の排熱を蒸気発生装置（413）に通した蒸気で蒸気タービン（414）を作動させ動力源とする動力源装置。
【請求項６７】
液体水素燃料のロケットエンジン（407）での液体水素の燃焼による噴流で、タービン（408）を作動させ発電機（409）で発電した電気で水の電気分解装置（410）内の電気伝導性を有する水を電気分解し、そこで得られた水素を液化装置（411）に通して液体水素燃料のロケットエンジン（407）の燃料として利用すると同時に、燃焼時の排熱を蒸気発生装置（413）に通した蒸気で蒸気タービン（414）を作動させ動力源とする動力源装置の運転方法。
【請求項６８】
液体水素燃料のロケットエンジン（416）での液体水素の燃焼による噴流で、タービン（417）を作動させ動力源とすると同時に、燃焼時の排熱を蒸気発生装置（419）に通した蒸気で蒸気タービン（420）を作動させ、発電機（421）で発電した電気で水の電気分解装置（422）内の電気伝導性を有する水を電気分解し、そこで得られた水素を液化装置（423）に通して液体水素燃料のロケットエンジン（416）の燃料として利用する動力源装置。
【請求項６９】
液体水素燃料のロケットエンジン（416）での液体水素の燃焼による噴流で、タービン（417）を作動させ動力源とすると同時に、燃焼時の排熱を蒸気発生装置（419）に通した蒸気で蒸気タービン（420）を作動させ、発電機（421）で発電した電気で水の電気分解装置（422）内の電気伝導性を有する水を電気分解し、そこで得られた水素を液化装置（423）に通して液体水素燃料のロケットエンジン（416）の燃料として利用する動力源装置の運転方法。
【請求項７０】
燃焼室（425）で液体水素を燃焼させて液体水素燃料のガスタービン（426）を作動させ、発電機（427）で発電した電気で水の電気分解装置（428）内の電気伝導性を有する水を電気分解し、そこで得られた水素を液化装置（429）に通して燃焼室（425）に導き液体水素燃料のガスタービン（426）の燃料として利用すると同時に、燃焼時の排熱を蒸気発生装置（431）に通した蒸気で蒸気タービン（432）を作動させ動力源とする動力源装置。
【請求項７１】
燃焼室（425）で液体水素を燃焼させて液体水素燃料のガスタービン（426）を作動させ、発電機（427）で発電した電気で水の電気分解装置（428）内の電気伝導性を有する水を電気分解し、そこで得られた水素を液化装置（429）に通して燃焼室（425）に導き液体水素燃料のガスタービン（426）の燃料として利用すると同時に、燃焼時の排熱を蒸気発生装置（431）に通した蒸気で蒸気タービン（432）を作動させて動力源とする動力源装置の運転方法。
【請求項７２】
燃焼室（434）で液体水素を燃焼させて液体水素燃料のガスタービン（435）を作動させ動力源とすると同時に、燃焼時の排熱を蒸気発生装置（437）に通した蒸気で蒸気タービン（438）を作動させ、発電機（439）で発電した電気で水の電気分解装置（440）内の電気伝導性を有する水を電気分解し、そこで得られた水素を液化装置（441）に通して燃焼室（434）に導き液体水素燃料のガスタービン（435）の燃料として利用する動力源装置。
【請求項７３】
燃焼室（434）で液体水素を燃焼させて液体水素燃料のガスタービン（435）を作動させ動力源とすると同時に、燃焼時の排熱を蒸気発生装置（437）に通した蒸気で蒸気タービン（438）を作動させ、発電機（439）で発電した電気で水の電気分解装置（440）内の電気伝導性を有する水を電気分解し、そこで得られた水素を液化装置（441）に通して燃焼室（434）に導き液体水素燃料のガスタービン（435）の燃料として利用する動力源装置の運転方法。
【請求項７４】
請求項2、4、6、8、10、12、14、16、18，20、42、44、46、48、58、60、62、64のいずれかに記載の動力源装置において、電気伝導性を有する水を電気分解して得られる水素及び酸素を当該装置の燃料及び水素の酸化剤以外の目的で製造、使用し、また増殖炉として使用する水素及び酸素の製造装置。
【請求項７５】
請求項2、4、6、8、10、12、14、16、18，20、42、44、46、48、58、60、62、64のいずれかに記載の動力源装置において、電気伝導性を有する水を電気分解して得られる水素及び酸素を当該装置の燃料及び水素の酸化剤以外の目的で製造、使用し、また増殖炉として使用する水素及び酸素の製造方法。
【手続補正２】
【補正対象書類名】明細書
【補正対象項目名】全文
【補正方法】変更
【補正の内容】
【発明の詳細な説明】
【発明の名称】水素燃料のロケットエンジンとタービン及び蒸気タービンを使用した動力源装置及び運転方法
【技術分野】
【０００１】
本発明は、基本的には、水素を燃料とするロケットエンジンで水素を燃焼させ、タービンを作動させて発電した電気で電気伝導性を有する水を電気分解し、そこで得られた水素と酸素を水素を燃料とするロケットエンジンの燃料及び水素の酸化剤として利用すると同時に、燃焼時の排熱で蒸気タービンを作動させ動力源とする動力源装置および運転方法に関するものである。
【背景技術】
【０００２】
従来の発電装置や動力源装置では、燃料に石油や天然ガスなどの化石燃料等を使用しており、その燃焼に伴い、地球温暖化の原因である二酸化炭素を排出し、また、窒素酸化物や硫黄酸化物等の大気汚染物質も排出し、深刻な環境問題を引き起こしており、さらに、燃料となる資源の枯渇という問題もあった。
【非特許文献１】佐藤正知、蛭沢重信著「図解雑学  エネルギー」（ナツメ社）2001年7月20日発行、第94頁から第95ページ、第102ページから第103ページ、第130頁から第131頁
【発明の開示】
【発明が解決しようとする課題】
【０００３】
したがって従来の技術では避けて通ることができなかった課題である二酸化炭素や大気汚染物質の排出や、また、従来の技術では資源の枯渇という課題もあった。本発明は、こうした環境問題や資源問題等の諸問題を一掃するために発明されたものである。
【課題を解決するための手段】
【０００４】
上記課題を解決するための手段としては、従来の化石燃料の代わりに、地球上に大量に存在する水を使用し、装置を作動させる過程で発電した電気で水を電気分解し、そこで得られた水素と酸素を当該装置を作動させる燃料及び水素の酸化剤として利用し、この繰り返しで永続的に装置を作動させる。そのために二酸化炭素や大気汚染物質の排出もなく、また、その場で当該装置の燃料及びその酸化剤を生産するため、燃料の供給不能や枯渇する問題もなくなるものと思われる。
【発明の効果】
【０００５】
本発明の効果は、水素を燃料としているので燃焼しても二酸化炭素や大気汚染物質の排出はなく、また、装置が作動している間に、同時進行で当該装置の燃料となる水素を水の電気分解によって生産し、それを燃料として利用しているので、燃料供給の不安定要因や資源の枯渇といった問題もなく、また、放射性物質等の有害廃棄物の排出やその処理問題もない点で、エネルギーや環境の諸問題を一掃しうる理想的な動力源装置であるといえる。
【発明を実施するための最良の形態】
【０００６】
本発明の実施形態を述べると、請求項1は、ロケットエンジンとタービンとを結合し組み合わせた動力源装置であり、ロケットエンジンでの燃焼による噴流でタービンを作動させて仕事をさせる動力源装置である。
【０００７】
請求項2では、水素燃料のロケットエンジン（1）での水素の燃焼による噴流で、タービン（2）を作動させ、発電機（3）で発電した電気で水の電気分解装置（4）内の電気伝導性を有する水を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置である。動力源装置の利用例としては発電装置や船舶のスクリューなど。
【０００８】
請求項3では、水素燃料のロケットエンジン（1）での水素の燃焼による噴流で、タービン（2）を作動させ、発電機（3）で発電した電気で水の電気分解装置（4）内の電気伝導性を有する水を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置の運転方法である。従って、動力源とする一方で当該装置の燃料及びその酸化剤をも生産するので永続的に装置が作動する。
【０００９】
請求項4では、水素燃料のロケットエンジン（8）での水素の燃焼による噴流で、タービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水を電気分解し、そこで得られた水素と酸素を水素燃料のロケットエンジン（8）の燃料及び水素の酸化剤として利用するという動力源装置である。動力源装置の利用例としては発電装置や船舶のスクリューなど。
【００１０】
請求項5では、水素燃料のロケットエンジン（8）での水素の燃焼による噴流で、タービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水を電気分解し、そこで得られた水素と酸素を水素燃料のロケットエンジン（8）の燃料及び水素の酸化剤として利用するという動力源装置の運転方法である。従って、動力源とする一方で当該装置の燃料及びその酸化剤をも生産するので永続的に装置が作動する。
【００１１】
請求項６では、燃焼室（345）で水素を燃焼させて水素燃料のガスタービン（15）を作動させ、発電機（16）で発電した電気で水の電気分解装置（17）内の電気伝導性を有する水を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させ動力源とするという動力源装置である。動力源装置の利用例としては発電装置や船舶のスクリューなど。
【００１２】
請求項7では、燃焼室（345）で水素を燃焼させて水素燃料のガスタービン（15）を作動させ、発電機（16）で発電した電気で水の電気分解装置（17）内の電気伝導性を有する水を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させ動力源とするという動力源装置の運転方法である。従って、動力源とする一方で当該装置の燃料及びその酸化剤をも生産するので永続的に装置が作動する。
【００１３】
請求項８は、燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水を電気分解し、そこで得られた水素と酸素を燃焼室（346）に導き水素燃料のガスタービン（21）の燃料及び水素の酸化剤として利用するという動力源装置である。動力源装置の利用例としては発電装置や船舶のスクリューなど。
【００１４】
請求項9は、燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水を電気分解し、そこで得られた水素と酸素を燃焼室（346）に導き水素燃料のガスタービン（21）の燃料及び水素の酸化剤として利用するという動力源装置の運転方法である。従って、動力源とする一方で当該装置の燃料及びその酸化剤をも生産するので永続的に装置が作動する。
【００１５】
請求項10は、請求項2記載の動力源装置に、さらに水よりも低い沸点の液体であるアンモニアを利用した装置を組み合わせたもので、水素を燃焼させて水素燃料のロケットエンジン（27）側のタービン（28）を作動させ、発電機（29）で発電した電気で水の電気分解装置（30）内の電気伝導性を有する水を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させ動力源とすると同時に、さらに、蒸気タービン（32）の排熱を蒸気発生装置（34）に通し、水よりも低い沸点の液体であるアンモニアの蒸気で、もう一方の蒸気タービン（35）を作動させ動力源として利用すると同時に、アンモニア蒸気を凝縮装置（239）に通し液化するという動力源装置である。動力源装置の利用例としては、発電装置など。  
【００１６】
請求項11は、請求項2記載の動力源装置に、さらに水よりも低い沸点の液体であるアンモニアを利用した装置を組み合わせたもので、水素を燃焼させて水素燃料のロケットエンジン（27）側のタービン（28）を作動させ、発電機（29）で発電した電気で水の電気分解装置（30）内の電気伝導性を有する水を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させ動力源とすると同時に、さらに、蒸気タービン（32）の排熱を蒸気発生装置（34）に通し、水よりも低い沸点の液体であるアンモニアの蒸気で、もう一方の蒸気タービン（35）を作動させ動力源として利用すると同時に、アンモニア蒸気を凝縮装置（239）に通し、液化するという動力源装置の運転方法である。従って、動力源とする一方で当該装置の燃料及びその酸化剤をも生産するので永続的に装置が作動する。
【００１７】
請求項12は、請求項4記載の動力源装置に、さらに水よりも低い沸点の液体であるアンモニアを利用した装置を組み合わせたもので、水素を燃焼させて水素燃料のロケットエンジン（37）側のタービン（38）を作動させ動力源とすると同時に、燃焼時の排熱を蒸気発生装置（40）に通した蒸気で蒸気タービン（41）を作動させ、発電機（42）で発電した電気で水の電気分解装置（43）内の電気伝導性を有する水を電気分解し、そこで得られた水素と酸素を水素燃料のロケットエンジン（37）の燃料及び水素の酸化剤として利用し、さらに、蒸気タービン（41）の排熱を蒸気発生装置（44）に通し、水よりも低い沸点の液体であるアンモニアの蒸気で、もう一方の蒸気タービン（45）を作動させ動力源として利用すると同時に、アンモニア蒸気を凝縮装置（240）に通し液化するという動力源装置である。動力源装置の利用例としては、発電装置など。
【００１８】
請求項13は、請求項4記載の動力源装置に、さらに水よりも低い沸点の液体であるアンモニアを利用した装置を組み合わせたもので、水素を燃焼させて水素燃料のロケットエンジン（37）側のタービン（38）を作動させ動力源とすると同時に、燃焼時の排熱を蒸気発生装置（40）に通した蒸気で蒸気タービン（41）を作動させ、発電機（42）で発電した電気で水の電気分解装置（43）内の電気伝導性を有する水を電気分解し、そこで得られた水素と酸素を水素燃料のロケットエンジン（37）の燃料及び水素の酸化剤として利用し、さらに、蒸気タービン（41）の排熱を蒸気発生装置（44）に通し、水よりも低い沸点の液体であるアンモニアの蒸気で、もう一方の蒸気タービン（45）を作動させ動力源として利用すると同時に、アンモニア蒸気を凝縮装置（240）に通し液化するという動力源装置の運転方法である。従って、動力源とする一方で当該装置の燃料及びその酸化剤をも生産するので永続的に装置が作動する。
【００１９】
請求項14は、請求項6記載の動力源装置に、さらに水よりも低い沸点の液体であるアンモニアを利用した装置を組み合わせたもので、燃焼室（347）で水素を燃焼させて水素燃料のガスタービン（47）を作動させ発電機（48）で発電した電気で水の電気分解装置（49）内の電気伝導性を有する水を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させ動力源とすると同時に、さらに、蒸気タービン（51）の排熱を蒸気発生装置（53）に通し、水よりも低い沸点の液体であるアンモニアの蒸気で、もう一方の蒸気タービン（54）を作動させ動力源として利用すると同時に、アンモニア蒸気を凝縮装置（241）に通し液化するという動力源装置である。動力源装置の利用例としては、発電装置など。
【００２０】
請求項15は、請求項6記載の動力源装置に、さらに水よりも低い沸点の液体であるアンモニアを利用した装置を組み合わせたもので、燃焼室（347）で水素を燃焼させて水素燃料のガスタービン（47）を作動させ発電機（48）で発電した電気で水の電気分解装置（49）内の電気伝導性を有する水を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させ動力源とすると同時に、さらに、蒸気タービン（51）の排熱を蒸気発生装置（53）に通し、水よりも低い沸点の液体であるアンモニアの蒸気で、もう一方の蒸気タービン（54）を作動させ動力源として利用すると同時に、アンモニア蒸気を凝縮装置（241）に通し液化するという動力源装置の運転方法である。従って、動力源とする一方で当該装置の燃料及びその酸化剤をも生産するので永続的に装置が作動する。
【００２１】
請求項16は、請求項8記載の動力源装置に、さらに水よりも低い沸点の液体であるアンモニアを利用した装置を組み合わせたもので、燃焼室（348）で水素を燃焼させて水素燃料のガスタービン（56）を作動させ動力源とすると同時に、燃焼時の排熱を蒸気発生装置（58）に通した蒸気で蒸気タービン（59）を作動させ、発電機（60）で発電した電気で水の電気分解装置（61）内の電気伝導性を有する水を電気分解し、そこで得られた水素と酸素を燃焼室（348）に導き水素燃料のガスタービン（56）の燃料及び水素の酸化剤として利用し、さらに、蒸気タービン（59）の排熱を蒸気発生装置（62）に通し、水よりも低い沸点の液体であるアンモニアの蒸気で、もう一方の蒸気タービン（63）を作動させ動力源として利用すると同時に、アンモニア蒸気を凝縮装置（242）に通し液化するという動力源装置である。動力源装置の利用例としては、発電装置など。
【００２２】
請求項１７は、請求項8記載の動力源装置に、さらに水よりも低い沸点の液体であるアンモニアを利用した装置を組み合わせたもので、燃焼室（348）で水素を燃焼させて水素燃料のガスタービン（56）を作動させ動力源とすると同時に、燃焼時の排熱を蒸気発生装置（58）に通した蒸気で蒸気タービン（59）を作動させ、発電機（60）で発電した電気で水の電気分解装置（61）内の電気伝導性を有する水を電気分解し、そこで得られた水素と酸素を燃焼室（348）に導き水素燃料のガスタービン（56）の燃料及び水素の酸化剤として利用し、さらに、蒸気タービン（59）の排熱を蒸気発生装置（62）に通し、水よりも低い沸点の液体であるアンモニアの蒸気で、もう一方の蒸気タービン（63）を作動させ動力源として利用すると同時に、アンモニア蒸気を凝縮装置（242）に通し液化するという動力源装置の運転方法である。従って、動力源とする一方で当該装置の燃料及びその酸化剤をも生産するので永続的に装置が作動する。
【００２３】
請求項18は、水素燃料のロケットエンジン（101）での水素の燃焼による噴流でタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水を電気分解し、そこで得られた水素と酸素を水素燃料のロケットエンジン（101）の燃料及び水素の酸化剤として利用すると同時に、アンモニア蒸気を凝縮装置（244）に通し液化するという動力源装置である。動力源装置の利用例としては、発電装置など。
【００２４】
請求項19は、水素燃料のロケットエンジン（101）での水素の燃焼による噴流でタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水を電気分解し、そこで得られた水素と酸素を水素燃料のロケットエンジン（101）の燃料及び水素の酸化剤として利用すると同時に、アンモニア蒸気を凝縮装置（244）に通し液化するという動力源装置の運転方法である。従って、動力源とする一方で当該装置の燃料及びその酸化剤をも生産するので永続的に装置が作動する。
【００２５】
請求項20は、燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化するという動力源装置である。動力源装置の利用例としては、発電装置など。
【００２６】
請求項21は、燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化するという動力源装置の運転方法である。従って、動力源とする一方で当該装置の燃料及びその酸化剤をも生産するので永続的に装置が作動する。
【００２７】
請求項22は、水素燃料のロケットエンジン（120）での水素の燃焼による噴流で、タービン（121）を作動させ、発電機（122）で発電した電気で水の電気分解装置（123）内の電気伝導性を有する水を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置である。動力源装置の利用例としては発電装置や船舶のスクリューなど。
【００２８】
請求項23は、水素燃料のロケットエンジン（120）での水素の燃焼による噴流で、タービン（121）を作動させ、発電機（122）で発電した電気で水の電気分解装置（123）内の電気伝導性を有する水を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置の運転方法である。従って、動力源とする一方で当該装置の燃料をも生産するので永続的に装置が作動する。
【００２９】
請求項24は、水素燃料のロケットエンジン（127）での水素の燃焼による噴流で、タービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水を電気分解し、そこで得られた水素を水素燃料のロケットエンジン（127）の燃料として利用するという動力源装置である。動力源装置の利用例としては発電装置や船舶のスクリューなど。
【００３０】
請求項25は、水素燃料のロケットエンジン（127）での水素の燃焼による噴流で、タービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水を電気分解し、そこで得られた水素を水素燃料のロケットエンジン（127）の燃料として利用するという動力源装置の運転方法である。従って、動力源とする一方で当該装置の燃料をも生産するので永続的に装置が作動する。
【００３１】
請求項26では、燃焼室（352）で水素を燃焼させて水素燃料のガスタービン（134）を作動させ、発電機（135）で発電した電気で水の電気分解装置（136）内の電気伝導性を有する水を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させ動力源とするという動力源装置である。動力源装置の利用例としては発電装置や船舶のスクリューなど。
【００３２】
請求項27では、燃焼室（352）で水素を燃焼させて水素燃料のガスタービン（134）を作動させ、発電機（135）で発電した電気で水の電気分解装置（136）内の電気伝導性を有する水を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させ動力源とするという動力源装置の運転方法である。従って、動力源とする一方で当該装置の燃料をも生産するので永続的に装置が作動する。
【００３３】
請求項28では、燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水を電気分解し、そこで得られた水素を燃焼室（353）に導き水素燃料のガスタービン（140）の燃料として利用するという動力源装置である。動力源装置の利用例としては発電装置や船舶のスクリューなど。
【００３４】
請求項29では、燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水を電気分解し、そこで得られた水素を燃焼室（353）に導き水素燃料のガスタービン（140）の燃料として利用するという動力源装置の運転方法である。従って、動力源とする一方で当該装置の燃料をも生産するので永続的に装置が作動する。
【００３５】
請求項30では、請求項22記載の動力源装置に、さらに水よりも低い沸点の液体であるアンモニアを利用した装置を組み合わせたもので、水素を燃焼させて水素燃料のロケットエンジン（146）側のタービン（147）を作動させ、発電機（148）で発電した電気で水の電気分解装置（149）内の電気伝導性を有する水を電気分解し、そこで得られた水素を水素燃料のロケットエンジン（146）の燃料として利用すると同時に、燃焼時の排熱を蒸気発生装置（150）に通した蒸気で蒸気タービン（151）を作動させ動力源とすると同時に、さらに、蒸気タービン（151）の排熱を蒸気発生装置（153）に通し、水よりも低い沸点の液体であるアンモニアの蒸気で、もう一方の蒸気タービン（154）を作動させ動力源として利用すると同時に、アンモニア蒸気を凝縮装置（246）に通し、液化するという動力源装置である。動力源装置の利用例としては発電装置など。
【００３６】
請求項31では、請求項22記載の動力源装置に、さらに水よりも低い沸点の液体であるアンモニアを利用した装置を組み合わせたもので、水素を燃焼させて水素燃料のロケットエンジン（146）側のタービン（147）を作動させ、発電機（148）で発電した電気で水の電気分解装置（149）内の電気伝導性を有する水を電気分解し、そこで得られた水素を水素燃料のロケットエンジン（146）の燃料として利用すると同時に、燃焼時の排熱を蒸気発生装置（150）に通した蒸気で蒸気タービン（151）を作動させ動力源とすると同時に、さらに、蒸気タービン（151）の排熱を蒸気発生装置（153）に通し、水よりも低い沸点の液体であるアンモニアの蒸気で、もう一方の蒸気タービン（154）を作動させ動力源として利用すると同時に、アンモニア蒸気を凝縮装置（246）に通し液化するという動力源装置の運転方法である。従って、動力源とする一方で当該装置の燃料をも生産するので永続的に装置が作動する。
【００３７】
請求項32は、請求項24記載の動力源装置に、さらに水よりも低い沸点の液体であるアンモニアを利用した装置を組み合わせたもので、水素を燃焼させて水素燃料のロケットエンジン（156）側のタービン（157）を作動させ動力源とすると同時に、燃焼時の排熱を蒸気発生装置（159）に通した蒸気で蒸気タービン（160）を作動させ、発電機（161）で発電した電気で水の電気分解装置（162）内の電気伝導性を有する水を電気分解し、そこで得られた水素を水素燃料のロケットエンジン（156）の燃料として利用し、さらに、蒸気タービン（160）の排熱を蒸気発生装置（163）に通し、水よりも低い沸点の液体であるアンモニアの蒸気で、もう一方の蒸気タービン（164）を作動させ動力源として利用すると同時に、アンモニア蒸気を凝縮装置（247）に通し液化するという動力源装置である。動力源装置の利用例としては、発電装置など。
【００３８】
請求項33は、請求項24記載の動力源装置に、さらに水よりも低い沸点の液体であるアンモニアを利用した装置を組み合わせたもので、水素を燃焼させて水素燃料のロケットエンジン（156）側のタービン（157）を作動させ動力源とすると同時に、燃焼時の排熱を蒸気発生装置（159）に通した蒸気で蒸気タービン（160）を作動させ、発電機（161）で発電した電気で水の電気分解装置（162）内の電気伝導性を有する水を電気分解し、そこで得られた水素を水素燃料のロケットエンジン（156）の燃料として利用し、さらに、蒸気タービン（160）の排熱を蒸気発生装置（163）に通し、水よりも低い沸点の液体であるアンモニアの蒸気で、もう一方の蒸気タービン（164）を作動させ動力源として利用すると同時に、アンモニア蒸気を凝縮装置（247）に通し液化するという動力源装置の運転方法である。従って、動力源とする一方で当該装置の燃料をも生産するので永続的に装置が作動する。
【００３９】
請求項34は、請求項26記載の動力源装置に、さらに水よりも低い沸点の液体であるアンモニアを利用した装置を組み合わせたもので、燃焼室（354）で水素を燃焼させて水素燃料のガスタービン（166）を作動させ、発電機（167）で発電した電気で水の電気分解装置（168）内の電気伝導性を有する水を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させ動力源とすると同時に、さらに、蒸気タービン（170）の排熱を蒸気発生装置（172）に通し、水よりも低い沸点の液体であるアンモニアの蒸気で、もう一方の蒸気タービン（173）を作動させ動力源として利用すると同時に、アンモニア蒸気を凝縮装置（248）に通し液化するという動力源装置である。動力源装置の利用例としては、発電装置など。
【００４０】
請求項35は、請求項26記載の動力源装置に、さらに水よりも低い沸点の液体であるアンモニアを利用した装置を組み合わせたもので、燃焼室（354）で水素を燃焼させて水素燃料のガスタービン（166）を作動させ、発電機（167）で発電した電気で水の電気分解装置（168）内の電気伝導性を有する水を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させ動力源とすると同時に、さらに、蒸気タービン（170）の排熱を蒸気発生装置（172）に通し、水よりも低い沸点の液体であるアンモニアの蒸気で、もう一方の蒸気タービン（173）を作動させ動力源として利用すると同時に、アンモニア蒸気を凝縮装置（248）に通し液化するという動力源装置の運転方法である。従って、動力源とする一方で当該装置の燃料をも生産するので永続的に装置が作動する。
【００４１】
請求項36は、請求項28記載の動力源装置に、さらに水よりも低い沸点の液体であるアンモニアを利用した装置を組み合わせたもので、燃焼室（355）で水素を燃焼させて水素燃料のガスタービン（175）を作動させ動力源とすると同時に、燃焼時の排熱を蒸気発生装置（177）に通した蒸気で蒸気タービン（178）を作動させ、発電機（179）で発電した電気で水の電気分解装置（180）内の電気伝導性を有する水を電気分解し、そこで得られた水素を燃焼室（355）に導き水素燃料のガスタービン（175）の燃料として利用し、さらに、蒸気タービン（178）の排熱を蒸気発生装置（181）に通し、水よりも低い沸点の液体であるアンモニアの蒸気で、もう一方の蒸気タービン（182）を作動させ動力源として利用すると同時に、アンモニア蒸気を凝縮装置（249）に通し液化するという動力源装置である。動力源装置の利用例としては、発電装置など。
【００４２】
請求項37は、請求項28記載の動力源装置に、さらに水よりも低い沸点の液体であるアンモニアを利用した装置を組み合わせたもので、燃焼室（355）で水素を燃焼させて水素燃料のガスタービン（175）を作動させ動力源とすると同時に、燃焼時の排熱を蒸気発生装置（177）に通した蒸気で蒸気タービン（178）を作動させ、発電機（179）で発電した電気で水の電気分解装置（180）内の電気伝導性を有する水を電気分解し、そこで得られた水素を燃焼室（355）に導き水素燃料のガスタービン（175）の燃料として利用し、さらに、蒸気タービン（178）の排熱を蒸気発生装置（181）に通し、水よりも低い沸点の液体であるアンモニアの蒸気で、もう一方の蒸気タービン（182）を作動させ動力源として利用すると同時に、アンモニア蒸気を凝縮装置（249）に通し液化するという動力源装置の運転方法である。従って、動力源とする一方で当該装置の燃料をも生産するので永続的に装置が作動する。
【００４３】
請求項38は、水素燃料のロケットエンジン（220）での水素の燃焼による噴流でタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水を電気分解し、そこで得られた水素を水素燃料のロケットエンジン（220）の燃料として利用すると同時に、アンモニア蒸気を凝縮装置（251）に通し液化するという動力源装置である。動力源装置の利用例としては、発電装置など。
【００４４】
請求項39は、水素燃料のロケットエンジン（220）での水素の燃焼による噴流でタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水を電気分解し、そこで得られた水素を水素燃料のロケットエンジン（220）の燃料として利用すると同時に、アンモニア蒸気を凝縮装置（251）に通し液化するという動力源装置の運転方法である。従って、動力源とする一方で当該装置の燃料をも生産するので永続的に装置が作動する。
【００４５】
請求項40は、燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水を電気分解し、そこで得られた水素を燃焼室（358）に導き水素燃料のガスタービン（230）の燃料として利用すると同時に、アンモニア蒸気を凝縮装置（252）に通し液化するという動力源装置である。動力源装置の利用例としては、発電装置など。
【００４６】
請求項41は、燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水を電気分解し、そこで得られた水素を燃焼室（358）に導き水素燃料のガスタービン（230）の燃料として利用すると同時に、アンモニア蒸気を凝縮装置（252）に通し液化するという動力源装置の運転方法である。従って、動力源とする一方で当該装置の燃料をも生産するので永続的に装置が作動する。
【００４７】
請求項42は、液体水素燃料のロケットエンジン（253）での液体水素の燃焼による噴流で、タービン（254）を作動させ、発電機（255）で発電した電気で水の電気分解装置（256）内の電気伝導性を有する水を電気分解し、そこで得られた水素と酸素を液化装置及び貯蔵タンク（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置である。動力源装置の利用例としては発電装置や船舶のスクリューなど。
【００４８】
請求項43は、液体水素燃料のロケットエンジン（253）での液体水素の燃焼による噴流で、タービン（254）を作動させ、発電機（255）で発電した電気で水の電気分解装置（256）内の電気伝導性を有する水を電気分解し、そこで得られた水素と酸素を液化装置及び貯蔵タンク（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置の運転方法である。従って、動力源とする一方で当該装置の燃料及びその酸化剤をも生産するので永続的に装置が作動する。
【００４９】
請求項44は、液体水素燃料のロケットエンジン（262）での液体水素の燃焼による噴流で、タービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水を電気分解し、そこで得られた水素と酸素を液化装置及び貯蔵タンク（269）及び（270）に通して液体水素燃料のロケットエンジン（262）の燃料及び液体水素の酸化剤として利用するという動力源装置である。動力源装置の利用例としては発電装置や船舶のスクリューなど。
【００５０】
請求項45は、液体水素燃料のロケットエンジン（262）での液体水素の燃焼による噴流で、タービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水を電気分解し、そこで得られた水素と酸素を液化装置及び貯蔵タンク（269）及び（270）に通して液体水素燃料のロケットエンジン（262）の燃料及び液体水素の酸化剤として利用するという動力源装置の運転方法である。従って、動力源とする一方で当該装置の燃料及びその酸化剤をも生産するので永続的に装置が作動する。
【００５１】
請求項46は、燃焼室（359）で液体水素を燃焼させて液体水素燃料のガスタービン（271）を作動させ、発電機（272）で発電した電気で水の電気分解装置（273）内の電気伝導性を有する水を電気分解し、そこで得られた水素と酸素を液化装置及び貯蔵タンク（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させ動力源とするという動力源装置である。動力源装置の利用例としては発電装置や船舶のスクリューなど。
【００５２】
請求項47は、燃焼室（359）で液体水素を燃焼させて液体水素燃料のガスタービン（271）を作動させ、発電機（272）で発電した電気で水の電気分解装置（273）内の電気伝導性を有する水を電気分解し、そこで得られた水素と酸素を液化装置及び貯蔵タンク（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させ動力源とするという動力源装置の運転方法である。従って、動力源とする一方で当該装置の燃料及びその酸化剤をも生産するので永続的に装置が作動する。
【００５３】
請求項48は、燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水を電気分解し、そこで得られた水素と酸素を液化装置及び貯蔵タンク（285）及び（286）に通して燃焼室（360）に導き液体水素燃料のガスタービン（279）の燃料及び液体水素の酸化剤として利用するという動力源装置である。動力源装置の利用例としては発電装置や船舶のスクリューなど。
【００５４】
請求項49は、燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水を電気分解し、そこで得られた水素と酸素を液化装置及び貯蔵タンク（285）及び（286）に通して燃焼室（360）に導き液体水素燃料のガスタービン（279）の燃料及び液体水素の酸化剤として利用するという動力源装置の運転方法である。従って、動力源とする一方で当該装置の燃料及びその酸化剤をも生産するので永続的に装置が作動する。
【００５５】
請求項50は、液体水素燃料のロケットエンジン（294）での液体水素の燃焼による噴流で、タービン（295）を作動させ、発電機（296）で発電した電気で水の電気分解装置（297）内の電気伝導性を有する水を電気分解し、そこで得られた水素を液化装置及び貯蔵タンク（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置である。動力源装置の利用例としては発電装置や船舶のスクリューなど。
【００５６】
請求項51は、液体水素燃料のロケットエンジン（294）での液体水素の燃焼による噴流で、タービン（295）を作動させ、発電機（296）で発電した電気で水の電気分解装置（297）内の電気伝導性を有する水を電気分解し、そこで得られた水素を液化装置及び貯蔵タンク（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置の運転方法である。従って、動力源とする一方で当該装置の燃料をも生産するので永続的に装置が作動する。
【００５７】
請求項52は、液体水素燃料のロケットエンジン（302）での液体水素の燃焼による噴流で、タービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水を電気分解し、そこで得られた水素を液化装置及び貯蔵タンク（309）に通して液体水素燃料のロケットエンジン（302）の燃料として利用するという動力源装置である。動力源装置の利用例としては発電装置や船舶のスクリューなど。
【００５８】
請求項53は、液体水素燃料のロケットエンジン（302）での液体水素の燃焼による噴流で、タービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水を電気分解し、そこで得られた水素を液化装置及び貯蔵タンク（309）に通して液体水素燃料のロケットエンジン（302）の燃料として利用するという動力源装置の運転方法である。従って、動力源とする一方で当該装置の燃料をも生産するので永続的に装置が作動する。
【００５９】
請求項54は、燃焼室（361）で液体水素を燃焼させて液体水素燃料のガスタービン（310）を作動させ、発電機（311）で発電した電気で水の電気分解装置（312）内の電気伝導性を有する水を電気分解し、そこで得られた水素を液化装置及び貯蔵タンク（313）に通して燃焼室（361）に導き液体水素燃料のガスタービン（310）の燃料として利用すると同時に、燃焼時の排熱を蒸気発生装置（314）に通した蒸気で蒸気タービン（315）を作動させて動力源とするという動力源装置である。動力源装置の利用例としては発電装置や船舶のスクリューなど。
【００６０】
請求項55は、燃焼室（361）で液体水素を燃焼させて液体水素燃料のガスタービン（310）を作動させ、発電機（311）で発電した電気で水の電気分解装置（312）内の電気伝導性を有する水を電気分解し、そこで得られた水素を液化装置及び貯蔵タンク（313）に通して燃焼室（361）に導き液体水素燃料のガスタービン（310）の燃料として利用すると同時に、燃焼時の排熱を蒸気発生装置（314）に通した蒸気で蒸気タービン（315）を作動させて動力源とするという動力源装置の運転方法である。従って、動力源とする一方で当該装置の燃料をも生産するので永続的に装置が作動する。
【００６１】
請求項56は、燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水を電気分解し、そこで得られた水素を液化装置及び貯蔵タンク（323）に通して燃焼室（362）に導き液体水素燃料のガスタービン（317）の燃料として利用するという動力源装置である。動力源装置の利用例としては発電装置や船舶のスクリューなど。
【００６２】
請求項57は、燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水を電気分解し、そこで得られた水素を液化装置及び貯蔵タンク（323）に通して燃焼室（362）に導き液体水素燃料のガスタービン（317）の燃料として利用するという動力源装置の運転方法である。従って、動力源とする一方で当該装置の燃料をも生産するので永続的に装置が作動する。
【００６３】
請求項58は、液体水素燃料のロケットエンジン（363）での液体水素の燃焼による噴流で、タービン（364）を作動させ、発電機（365）で発電した電気で水の電気分解装置（366）内の電気伝導性を有する水を電気分解し、そこで得られた水素と酸素を液化装置（367）及び（368）に通して液体水素燃料のロケットエンジン（363）の燃料及び液体水素の酸化剤として利用すると同時に、燃焼時の排熱を蒸気発生装置（371）に通した蒸気で蒸気タービン（372）を作動させ動力源とする動力源装置である。動力源装置の利用例としては発電装置や船舶のスクリューなど。
【００６４】
請求項59は、液体水素燃料のロケットエンジン（363）での液体水素の燃焼による噴流で、タービン（364）を作動させ、発電機（365）で発電した電気で水の電気分解装置（366）内の電気伝導性を有する水を電気分解し、そこで得られた水素と酸素を液化装置（367）及び（368）に通して液体水素燃料のロケットエンジン（363）の燃料及び液体水素の酸化剤として利用すると同時に、燃焼時の排熱を蒸気発生装置（371）に通した蒸気で蒸気タービン（372）を作動させ動力源とする動力源装置の運転方法である。従って、動力源とする一方で当該装置の燃料及びその酸化剤をも生産するので永続的に装置が作動する。
【００６５】
請求項60は、液体水素燃料のロケットエンジン（374）での液体水素の燃焼による噴流で、タービン（375）を作動させ動力源とすると同時に、燃焼時の排熱を蒸気発生装置（377）に通した蒸気で蒸気タービン（378）を作動させ、発電機（379）で発電した電気で水の電気分解装置（380）内の電気伝導性を有する水を電気分解し、そこで得られた水素と酸素を液化装置（381）及び（382）に通して液体水素燃料のロケットエンジン（374）の燃料及び液体水素の酸化剤として利用するという動力源装置である。動力源装置の利用例としては発電装置や船舶のスクリューなど。
【００６６】
請求項61は、液体水素燃料のロケットエンジン（374）での液体水素の燃焼による噴流で、タービン（375）を作動させ動力源とすると同時に、燃焼時の排熱を蒸気発生装置（377）に通した蒸気で蒸気タービン（378）を作動させ、発電機（379）で発電した電気で水の電気分解装置（380）内の電気伝導性を有する水を電気分解し、そこで得られた水素と酸素を液化装置（381）及び（382）に通して液体水素燃料のロケットエンジン（374）の燃料及び液体水素の酸化剤として利用するという動力源装置の運転方法である。従って、動力源とする一方で当該装置の燃料及びその酸化剤をも生産するので永続的に装置が作動する。
【００６７】
請求項62は、燃焼室（385）で液体水素を燃焼させて液体水素燃料のガスタービン（386）を作動させ、発電機（387）で発電した電気で水の電気分解装置（388）内の電気伝導性を有する水を電気分解し、そこで得られた水素と酸素を液化装置（389）及び（390）に通して燃焼室（385）に導き液体水素燃料のガスタービン（386）の燃料及び液体水素の酸化剤として利用すると同時に、燃焼時の排熱を蒸気発生装置（393）に通した蒸気で蒸気タービン（394）を作動させ動力源とするという動力源装置である。動力源装置の利用例としては発電装置や船舶のスクリューなど。
【００６８】
請求項63は、燃焼室（385）で液体水素を燃焼させて液体水素燃料のガスタービン（386）を作動させ、発電機（387）で発電した電気で水の電気分解装置（388）内の電気伝導性を有する水を電気分解し、そこで得られた水素と酸素を液化装置（389）及び（390）に通して燃焼室（385）に導き液体水素燃料のガスタービン（386）の燃料及び液体水素の酸化剤として利用すると同時に、燃焼時の排熱を蒸気発生装置（393）に通した蒸気で蒸気タービン（394）を作動させ動力源とするという動力源装置の運転方法である。従って、動力源とする一方で当該装置の燃料及びその酸化剤をも生産するので永続的に装置が作動する。
【００６９】
請求項64は、燃焼室（396）で液体水素を燃焼させて液体水素燃料のガスタービン（397）を作動させ動力源とすると同時に、燃焼時の排熱を蒸気発生装置（399）に通した蒸気で蒸気タービン（400）を作動させ、発電機（401）で発電した電気で水の電気分解装置（402）内の電気伝導性を有する水を電気分解し、そこで得られた水素と酸素を液化装置（403）及び（404）に通して燃焼室（396）に導き液体水素燃料のガスタービン（397）の燃料及び液体水素の酸化剤として利用するという動力源装置である。動力源装置の利用例としては発電装置や船舶のスクリューなど。
【００７０】
請求項65は、燃焼室（396）で液体水素を燃焼させて液体水素燃料のガスタービン（397）を作動させ動力源とすると同時に、燃焼時の排熱を蒸気発生装置（399）に通した蒸気で蒸気タービン（400）を作動させ、発電機（401）で発電した電気で水の電気分解装置（402）内の電気伝導性を有する水を電気分解し、そこで得られた水素と酸素を液化装置（403）及び（404）に通して燃焼室（396）に導き液体水素燃料のガスタービン（397）の燃料及び液体水素の酸化剤として利用するという動力源装置の運転方法である。従って、動力源とする一方で当該装置の燃料及びその酸化剤をも生産するので永続的に装置が作動する。
【００７１】
請求項66は、液体水素燃料のロケットエンジン（407）での液体水素の燃焼による噴流で、タービン（408）を作動させ、発電機（409）で発電した電気で水の電気分解装置（410）内の電気伝導性を有する水を電気分解し、そこで得られた水素を液化装置（411）に通して液体水素燃料のロケットエンジン（407）の燃料として利用すると同時に、燃焼時の排熱を蒸気発生装置（413）に通した蒸気で蒸気タービン（414）を作動させ動力源とする動力源装置である。動力源装置の利用例としては発電装置や船舶のスクリューなど。
【００７２】
請求項67は、液体水素燃料のロケットエンジン（407）での液体水素の燃焼による噴流で、タービン（408）を作動させ、発電機（409）で発電した電気で水の電気分解装置（410）内の電気伝導性を有する水を電気分解し、そこで得られた水素を液化装置（411）に通して液体水素燃料のロケットエンジン（407）の燃料として利用すると同時に、燃焼時の排熱を蒸気発生装置（413）に通した蒸気で蒸気タービン（414）を作動させ動力源とする動力源装置の運転方法である。従って、動力源とする一方で当該装置の燃料をも生産するので永続的に装置が作動する。
【００７３】
請求項68は、液体水素燃料のロケットエンジン（416）での液体水素の燃焼による噴流で、タービン（417）を作動させ動力源とすると同時に、燃焼時の排熱を蒸気発生装置（419）に通した蒸気で蒸気タービン（420）を作動させ、発電機（421）で発電した電気で水の電気分解装置（422）内の電気伝導性を有する水を電気分解し、そこで得られた水素を液化装置（423）に通して液体水素燃料のロケットエンジン（416）の燃料として利用するという動力源装置である。動力源装置の利用例としては発電装置や船舶のスクリューなど。
【００７４】
請求項69は、液体水素燃料のロケットエンジン（416）での液体水素の燃焼による噴流で、タービン（417）を作動させ動力源とすると同時に、燃焼時の排熱を蒸気発生装置（419）に通した蒸気で蒸気タービン（420）を作動させ、発電機（421）で発電した電気で水の電気分解装置（422）内の電気伝導性を有する水を電気分解し、そこで得られた水素を液化装置（423）に通して液体水素燃料のロケットエンジン（416）の燃料として利用するという動力源装置の運転方法である。従って、動力源とする一方で当該装置の燃料をも生産するので永続的に装置が作動する。
【００７５】
請求項70は、燃焼室（425）で液体水素を燃焼させて液体水素燃料のガスタービン（426）を作動させ、発電機（427）で発電した電気で水の電気分解装置（428）内の電気伝導性を有する水を電気分解し、そこで得られた水素を液化装置（429）に通して燃焼室（425）に導き液体水素燃料のガスタービン（426）の燃料として利用すると同時に、燃焼時の排熱を蒸気発生装置（431）に通した蒸気で蒸気タービン（432）を作動させて動力源とするという動力源装置である。動力源装置の利用例としては発電装置や船舶のスクリューなど。
【００７６】
請求項71は、燃焼室（425）で液体水素を燃焼させて液体水素燃料のガスタービン（426）を作動させ、発電機（427）で発電した電気で水の電気分解装置（428）内の電気伝導性を有する水を電気分解し、そこで得られた水素を液化装置（429）に通して燃焼室（425）に導き液体水素燃料のガスタービン（426）の燃料として利用すると同時に、燃焼時の排熱を蒸気発生装置（431）に通した蒸気で蒸気タービン（432）を作動させて動力源とするという動力源装置の運転方法である。従って、動力源とする一方で当該装置の燃料をも生産するので永続的に装置が作動する。
【００７７】
請求項72は、燃焼室（434）で液体水素を燃焼させて液体水素燃料のガスタービン（435）を作動させ動力源とすると同時に、燃焼時の排熱を蒸気発生装置（437）に通した蒸気で蒸気タービン（438）を作動させ、発電機（439）で発電した電気で水の電気分解装置（440）内の電気伝導性を有する水を電気分解し、そこで得られた水素を液化装置（441）に通して燃焼室（434）に導き液体水素燃料のガスタービン（435）の燃料として利用するという動力源装置である。動力源装置の利用例としては発電装置や船舶のスクリューなど。
【００７８】
請求項73は、燃焼室（434）で液体水素を燃焼させて液体水素燃料のガスタービン（435）を作動させ動力源とすると同時に、燃焼時の排熱を蒸気発生装置（437）に通した蒸気で蒸気タービン（438）を作動させ、発電機（439）で発電した電気で水の電気分解装置（440）内の電気伝導性を有する水を電気分解し、そこで得られた水素を液化装置（441）に通して燃焼室（434）に導き液体水素燃料のガスタービン（435）の燃料として利用するという動力源装置の運転方法である。従って、動力源とする一方で当該装置の燃料をも生産するので永続的に装置が作動する。
【００７９】
請求項74は、請求項2、4、6、8、10、12、14、16、18、20、42，44、46、48、58、60、62、64のいずれかに記載の動力源装置を水素と酸素の増殖炉として利用するもので、当該装置の作動中に、消費される水素や酸素量よりも、生産される水素や酸素量が上回った分を他の分野で利用することを目的とした水素と酸素の製造装置である。
【００８０】
請求項75は、請求項2、4、6、8、10、12、14、16、18、20、42，44、46、48、58、60、62、64のいずれかに記載の動力源装置を水素と酸素の増殖炉として利用するもので、当該装置の作動中に、消費される水素や酸素量よりも、生産される水素や酸素量が上回った分を他の分野で利用することを目的とした水素と酸素の製造方法である。
【図面の簡単な説明】
【００８１】
【図１】本発明のシステムフロー図
【図２】本発明のシステムフロー図
【図３】本発明のシステムフロー図
【図４】本発明のシステムフロー図
【図５】本発明のシステムフロー図
【図６】本発明のシステムフロー図
【図７】本発明のシステムフロー図
【図８】本発明のシステムフロー図
【図９】本発明のシステムフロー図
【図１０】本発明のシステムフロー図
【図１１】本発明のシステムフロー図
【図１２】本発明のシステムフロー図
【図１３】本発明のシステムフロー図
【図１４】本発明のシステムフロー図
【図１５】本発明のシステムフロー図
【図１６】本発明のシステムフロー図
【図１７】本発明のシステムフロー図
【図１８】本発明のシステムフロー図
【図１９】本発明のシステムフロー図
【図２０】本発明のシステムフロー図
【図２１】本発明のシステムフロー図
【図２２】本発明のシステムフロー図
【図２３】本発明のシステムフロー図
【図２４】本発明のシステムフロー図
【図２５】本発明のシステムフロー図
【図２６】本発明のシステムフロー図
【図２７】本発明のシステムフロー図
【図２８】本発明のシステムフロー図
【図２９】本発明のシステムフロー図
【図３０】本発明のシステムフロー図
【図３１】本発明のシステムフロー図
【図３２】本発明のシステムフロー図
【図３３】本発明のシステムフロー図
【図３４】本発明のシステムフロー図
【図３５】本発明のシステムフロー図
【図３６】本発明のシステムフロー図
【符号の説明】
【００８２】
1は水素燃料のロケットエンジン
2はタービン
3は発電機
4は水の電気分解装置
5は蒸気発生装置
6は蒸気タービン
7は動力装置
8は水素燃料のロケットエンジン
9はタービン
10は動力装置
11は蒸気発生装置
12は蒸気タービン
13は発電機
14は水の電気分解装置
15は水素燃料のガスタービン
16は発電機
17は水の電気分解装置
18は蒸気発生装置
19は蒸気タービン
20は動力装置
21は水素燃料のガスタービン
22は動力装置
23は蒸気発生装置
24は蒸気タービン
25は発電機
26は水の電気分解装置
27は水素燃料のロケットエンジン
28はタービン
29は発電機
30は水の電気分解装置
31は蒸気発生装置
32は蒸気タービン
33は動力装置
34は蒸気発生装置
35は蒸気タービン
36は動力装置
37は水素燃料のロケットエンジン
38はタービン
39は動力装置
40は蒸気発生装置
41は蒸気タービン
42は発電機
43は水の電気分解装置
44は蒸気発生装置
45は蒸気タービン
46は動力装置
47は水素燃料のガスタービン
48は発電機
49は水の電気分解装置
50は蒸気発生装置
51は蒸気タービン
52は動力装置
53は蒸気発生装置
54は蒸気タービン
55は動力装置
56は水素燃料のガスタービン
57は動力装置
58は蒸気発生装置
59は蒸気タービン
60は発電機
61は水の電気分解装置
62は蒸気発生装置
63は蒸気タービン
64は動力装置
101は水素燃料のロケットエンジン
102はタービン
103は動力装置
104は蒸気発生装置
105は蒸気タービン
106は動力装置
107は蒸気発生装置
108は蒸気タービン
109は発電機
110は水の電気分解装置
111は水素燃料のガスタービン
112は動力装置
113は蒸気発生装置
114は蒸気タービン
115は動力装置
116は蒸気発生装置
117は蒸気タービン
118は発電機
119は水の電気分解装置
120は水素燃料のロケットエンジン
121はタービン
122は発電機
123は水の電気分解装置
124は蒸気発生装置
125は蒸気タービン
126は動力装置
127は水素燃料のロケットエンジン
128はタービン
129は動力装置
130は蒸気発生装置
131は蒸気タービン
132は発電機
133は水の電気分解装置
134は水素燃料のガスタービン
135は発電機
136は水の電気分解装置
137は蒸気発生装置
138は蒸気タービン
139は動力装置
140は水素燃料のガスタービン
141は動力装置
142は蒸気発生装置
143は蒸気タービン
144は発電機
145は水の電気分解装置
146は水素燃料のロケットエンジン
147はタービン
148は発電機
149は水の電気分解装置
150は蒸気発生装置
151は蒸気タービン
152は動力装置
153は蒸気発生装置
154は蒸気タービン
155は動力装置
156は水素燃料のロケットエンジン
157はタービン
158は動力装置
159は蒸気発生装置
160は蒸気タービン
161は発電機
162は水の電気分解装置
163は蒸気発生装置
164は蒸気タービン
165は動力装置
166は水素燃料のガスタービン
167は発電機
168は水の電気分解装置
169は蒸気発生装置
170は蒸気タービン
171は動力装置
172は蒸気発生装置
173は蒸気タービン
174は動力装置
175は水素燃料のガスタービン
176は動力装置
177は蒸気発生装置
178は蒸気タービン
179は発電機
180は水の電気分解装置
181は蒸気発生装置
182は蒸気タービン
183は動力装置
220は水素燃料のロケットエンジン
221はタービン
222は動力装置
223は蒸気発生装置
224は蒸気タービン
225は動力装置
226は蒸気発生装置
227は蒸気タービン
228は発電機
229は水の電気分解装置
230は水素燃料のガスタービン
231は動力装置
232は蒸気発生装置
233は蒸気タービン
234は動力装置
235は蒸気発生装置
236は蒸気タービン
237は発電機
238は水の電気分解装置
239は凝縮装置
240は凝縮装置
241は凝縮装置
242は凝縮装置
244は凝縮装置
245は凝縮装置
246は凝縮装置
247は凝縮装置
248は凝縮装置
249は凝縮装置
251は凝縮装置
252は凝縮装置
253は液体水素燃料のロケットエンジン
254はタービン
255は発電機
256は水の電気分解装置
257は液化装置及び貯蔵タンク
258は液化装置及び貯蔵タンク
259は蒸気発生装置
260は蒸気タービン
261は動力装置
262は液体水素燃料のロケットエンジン
263はタービン
264は動力装置
265は蒸気発生装置
266は蒸気タービン
267は発電機
268は水の電気分解装置
269は液化装置及び貯蔵タンク
270は液化装置及び貯蔵タンク
271は液体水素燃料のガスタービン
272は発電機
273は水の電気分解装置
274は液化装置及び貯蔵タンク
275は液化装置及び貯蔵タンク
276は蒸気発生装置
277は蒸気タービン
278は動力装置
279は液体水素燃料のガスタービン
280は動力装置
281は蒸気発生装置
282は蒸気タービン
283は発電機
284は水の電気分解装置
285は液化装置及び貯蔵タンク
286は液化装置及び貯蔵タンク
294は液体水素燃料のロケットエンジン
295はタービン
296は発電機
297は水の電気分解装置
298は液化装置及び貯蔵タンク
299は蒸気発生装置
300は蒸気タービン
301は動力装置
302は液体水素燃料のロケットエンジン
303はタービン
304は動力装置
305は蒸気発生装置
306は蒸気タービン
307は発電機
308は水の電気分解装置
309は液化装置及び貯蔵タンク
310は液体水素燃料のガスタービン
311は発電機
312は水の電気分解装置
313は液化装置及び貯蔵タンク
314は蒸気発生装置
315は蒸気タービン
316は動力装置
317は液体水素燃料のガスタービン
318は動力装置
319は蒸気発生装置
320は蒸気タービン
321は発電機
322は水の電気分解装置
323は液化装置及び貯蔵タンク
330は制御装置
331は制御装置
332は制御装置
333は制御装置
334は制御装置
335は制御装置
336は制御装置
337は制御装置
340は制御装置
341は制御装置
342は制御装置
343は制御装置
345は燃焼室
346は燃焼室
347は燃焼室
348は燃焼室
351は燃焼室
352は燃焼室
353は燃焼室
354は燃焼室
355は燃焼室
358は燃焼室
359は燃焼室
360は燃焼室
361は燃焼室
362は燃焼室
363は液体水素燃料のロケットエンジン
364はタービン
365は発電機
366は水の電気分解装置
367は液化装置
368は液化装置
369は制御装置
370は制御装置
371は蒸気発生装置
372は蒸気タービン
373は動力装置
374は液体水素燃料のロケットエンジン
375はタービン
376は動力装置
377は蒸気発生装置
378は蒸気タービン
379は発電機
380は水の電気分解装置
381は液化装置
382は液化装置
383は制御装置
384は制御装置
385は燃焼室
386は液体水素燃料のガスタービン
387は発電機
388は水の電気分解装置
389は液化装置
390は液化装置
391は制御装置
392は制御装置
393は蒸気発生装置
394は蒸気タービン
395は動力装置
396は燃焼室
397は液体水素燃料のガスタービン
398は動力装置
399は蒸気発生装置
400は蒸気タービン
401は発電機
402は水の電気分解装置
403は液化装置
404は液化装置
405は制御装置
406は制御装置
407は液体水素燃料のロケットエンジン
408はタービン
409は発電機
410は水の電気分解装置
411は液化装置
412は制御装置
413は蒸気発生装置
414は蒸気タービン
415は動力装置
416は液体水素燃料のロケットエンジン
417はタービン
418は動力装置
419は蒸気発生装置
420は蒸気タービン
421は発電機
422は水の電気分解装置
423は液化装置
424は制御装置
425は燃焼室
426は液体水素燃料のガスタービン
427は発電機
428は水の電気分解装置
429は液化装置
430は制御装置
431は蒸気発生装置
432は蒸気タービン
433は動力装置
434は燃焼室
435は液体水素燃料のガスタービン
436は動力装置
437は蒸気発生装置
438は蒸気タービン
439は発電機
440は水の電気分解装置
441は液化装置
442は制御装置